(57)【要約】【課題】利用し易いオンラインブックマークを提供する。【解決手段】ログインページ別に推奨するホームページのリストをログインページ情報ＤＢ１３２に格納しておく。また、ユーザより、ブックマークの登録を受け付け、ユーザ情報ＤＢ１３３に格納しておく。さらに、各ブックマークの内容を解析して、各ユーザの嗜好を求めてユーザ情報ＤＢ１３３に格納しておく。ネットワーク上に配置された複数のログインページのいずれかにログインがあると、そのログインページ用のブックマークと、そのユーザ用のブックマークと、そのユーザの嗜好に合致した情報のリストからなるブックマークとを含むホームページを合成して、利用者に提供する。【選択図】図３
2011081812.tif 000002
【特許請求の範囲】
【請求項１】
属性登録手段が、利用者別に、ホームページの属性を登録する工程と、
割付登録手段が、利用者別に、該利用者が参照するホームページに、前記属性登録手段に登録された属性のいずれかを割り付けて登録する工程と、
判別手段が、前記属性登録手段に登録されている各属性について、その属性が割り付けられているホームページのうち、前回のアクセスから現在までに更新されているものが存在するか否かを判別する工程と、
提供手段が、前記判別手段によって更新されたホームページが存在すると判別された属性の情報を利用者の端末に提供する工程と、
を備えることを特徴とするオンラインブックマーク提供方法。
【請求項２】
前記提供手段によって利用者の端末に提供された属性のいずれかの指定を受け付け、指定された属性が割り当てられたホームページであって、前記判別手段により更新されたと認定されたホームページを選択対象の情報として提示する工程をさらに備えることを特徴とする請求項１に記載のオンラインブックマーク提供方法。
【請求項３】
利用者と該利用者がホームページに付す属性とを対応付けて記憶する属性記憶手段と、
各利用者用の情報を、前記属性記憶手段に記憶されている属性を付して記憶する記憶手段と、
前記属性記憶手段に記憶されている利用者の各属性について、その属性が付されているホームページのうち、前回のアクセスから現在までに更新されているものが存在するか否かを判別し、更新されているホームページが存在すると判別した場合、その属性の情報を利用者の端末に提供する提供手段と、
を備えることを特徴とするネットワークシステム。
【請求項４】
前記提供手段は、
前記利用者の端末より、前記提供手段が提供した属性のいずれかの選択を受け付ける手段と、
受け付けた属性が割り当てられたホームページであって、更新されたと認定されたホームページを選択対象の情報として提示する提示手段と、
を備えることを特徴とする請求項３に記載のネットワークシステム。
【請求項５】
コンピュータを、
利用者と該利用者がホームページに付す属性とを対応付けて記憶する属性記憶手段、
各利用者用の情報を、前記属性記憶手段に記憶されている属性を付して記憶する記憶手段、
前記属性記憶手段に記憶されている利用者の各属性について、その属性が付されているホームページのうち、前回のアクセスから現在までに更新されているものが存在するか否かを判別し、更新されているホームページが存在すると判別した場合、その属性の情報を利用者の端末に提供する手段、
として機能させるためのプログラム。
【請求項６】
ブックマーク登録手段が、利用者別に、該利用者が参照するホームページのブックマークを登録する工程と、
嗜好判別手段が、前記ブックマーク登録手段に登録されているブックマークに基づいて、各利用者の嗜好を判別する工程と、
ホームページ生成手段が、利用者からのアクセスに応答して、登録されている該利用者用のブックマークと前記嗜好判別手段が判別した該利用者の嗜好に対応するホームページを指定するブックマークとを表示するホームページを生成する工程と、
ホームページ提供手段が、前記ホームページ生成手段が生成したホームページを利用者の端末に提供する工程と、
を備えることを特徴とするオンラインブックマーク提供方法。
【請求項７】
利用者と該利用者用の情報のアドレスのリストとを対応付けて記憶する記憶手段と、
前記記憶手段に記憶されているアドレスのリストを分析し、各利用者の嗜好を求める嗜好判別手段と、
前記嗜好判別手段により判別された嗜好に合致する情報のアドレスのリストを求める手段と、
利用者からのネットワークを介したアクセスを受け付け、利用者を判別し、判別した利用者用のアドレスのリストと該利用者の嗜好に合致する情報のアドレスのリストとを利用者に提示する提示手段と、
を備えることを特徴とするネットワークシステム。
【請求項８】
前記提示手段は、利用者の嗜好に類似する嗜好を有する他の利用者が登録したリストの情報を該当する利用者に提示する手段を備えることを特徴とする請求項７に記載のネットワークシステム。
【請求項９】
コンピュータを、
利用者と該利用者用の情報のアドレスのリストとを対応付けて記憶する記憶手段、
前記記憶手段に記憶されているアドレスのリストを分析し、各利用者の嗜好を求める嗜好判別手段、
前記嗜好判別手段により判別された嗜好に合致する情報のアドレスのリストを求める手段、
利用者からのネットワークを介したアクセスを受け付け、利用者を判別し、判別した利用者用のアドレスのリストと該利用者の嗜好に合致する情報のアドレスのリストとを利用者に提示する提示手段、
として機能させるためのプログラム。
【発明の詳細な説明】
【技術分野】
【０００１】
本発明は、ネットワーク上にブックマークを配置できるシステムに関する。
【背景技術】
【０００２】
インターネット上のホームページを手軽にアクセスするための一手段として、ブックマーク或いはお気に入りと呼ばれる機能が用意されている。ブックマークは、例えば、各コンピュータにインストールされたブラウザ上に用意され、ユーザが、参照しているホームページを気に入ると、これを登録することができる機能である。ユーザは、次回からは、ブックマークに登録されているページ名を指定するだけで、そのページが読み出されて、表示される。
【０００３】
ブックマークは、便利な機能であるが、各ブラウザに付属した機能であるため、ブラウザ毎にブックマークを登録しなければならないという問題がある。このため、例えば、端末装置を交換した場合や、複数の端末装置或いはブラウザを使用する場合に、登録作業が繁雑であるという問題がある。
【０００４】
このような問題を解決する一手法として、オンラインブックマークが提供されている。オンラインブックマークは、各ユーザのブックマークをインターネット上の所定のサイトに登録する機能である。各ユーザは、このサイトにアクセスして、ブックマークを登録し、ブックマークに登録されているページ名を指定するだけで、そのページが読み出されて、表示される。
【発明の概要】
【発明が解決しようとする課題】
【０００５】
従来のオンラインブックマークは、専用のログインサイトからログインして使用する必要があり、アクセスが不便であった。
また、自己の登録した情報が提供されるにすぎず、アクセスできる情報の範囲が限られており、より好適なページが存在するにもかかわらず、アクセスできないことが多かった。
【０００６】
本発明は、上述した事情に鑑みてなされたもので、任意のホームページやサイトを容易にアクセスできるようにすることを目的とする。
また、本発明は、ユーザに情報の所在をナビゲートできるオンラインブックマークを提供することを他の目的とする。
【課題を解決するための手段】
【０００７】
上記目的を達成するため、本発明の第１の観点に係る、オンラインブックマーク提供方法は、
属性登録手段が、利用者別に、ホームページの属性を登録する工程と、
割付登録手段が、利用者別に、該利用者が参照するホームページに、前記属性登録手段に登録された属性のいずれかを割り付けて登録する工程と、
判別手段が、前記属性登録手段に登録されている各属性について、その属性が割り付けられているホームページのうち、前回のアクセスから現在までに更新されているものが存在するか否かを判別する工程と、
提供手段が、前記判別手段によって更新されたホームページが存在すると判別された属性の情報を利用者の端末に提供する工程と、
を備えることを特徴とする。
なお、前記提供手段によって利用者の端末に提供された属性のいずれかの指定を受け付け、指定された属性が割り当てられたホームページであって、前記判別手段により更新されたと認定されたホームページを選択対象の情報として提示する工程をさらに備えてもよい。
【０００８】
上記目的を達成するため、本発明の第２の観点に係るネットワークシステムは、
利用者と該利用者がホームページに付す属性とを対応付けて記憶する属性記憶手段と、
各利用者用の情報を、前記属性記憶手段に記憶されている属性を付して記憶する記憶手段と、
前記属性記憶手段に記憶されている利用者の各属性について、その属性が付されているホームページのうち、前回のアクセスから現在までに更新されているものが存在するか否かを判別し、更新されているホームページが存在すると判別した場合、その属性の情報を利用者の端末に提供する提供手段と、
を備えることを特徴とする。
【０００９】
ここで、前記提供手段は、前記利用者の端末より、前記提供手段が提供した属性のいずれかの選択を受け付ける手段と、受け付けた属性が割り当てられたホームページであって、更新されたと認定されたホームページを選択対象の情報として提示する提示手段と、を備えてもよい。
【００１０】
上記目的を達成するため、本発明の第３の観点に係るオンラインブックマーク提供方法は、
ブックマーク登録手段が、利用者別に、該利用者が参照するホームページのブックマークを登録する工程と、
嗜好判別手段が、前記ブックマーク登録手段に登録されているブックマークに基づいて、各利用者の嗜好を判別する工程と、
ホームページ生成手段が、利用者からのアクセスに応答して、登録されている該利用者用のブックマークと前記嗜好判別手段が判別した該利用者の嗜好に対応するホームページを指定するブックマークとを表示するホームページを生成する工程と、
ホームページ提供手段が、前記ホームページ生成手段が生成したホームページを利用者の端末に提供する工程と、
を備えることを特徴とする。
【００１１】
上記目的を達成するため、本発明の第４の観点に係るネットワークシステムは、
利用者と該利用者用の情報のアドレスのリストとを対応付けて記憶する記憶手段と、
前記記憶手段に記憶されているアドレスのリストを分析し、各利用者の嗜好を求める嗜好判別手段と、
前記嗜好判別手段により判別された嗜好に合致する情報のアドレスのリストを求める手段と、
利用者からのネットワークを介したアクセスを受け付け、利用者を判別し、判別した利用者用のアドレスのリストと該利用者の嗜好に合致する情報のアドレスのリストとを利用者に提示する提示手段と、
を備えることを特徴とする。
【００１２】
例えば、前記提示手段は、利用者の嗜好に類似する嗜好を有する他の利用者が登録したリストの情報を該当する利用者に提示する手段を備える。
【００１３】
コンピュータに上記方法を実行させ、或いは、コンピュータを上記システムとして動作させるためのプログラムを記録媒体に格納して頒布したり、伝送媒体を介して配布したりしてもよい。
【発明の効果】
【００１４】
本発明によれば、情報のアクセスが容易になる。
【図面の簡単な説明】
【００１５】
【図１】本発明の実施形態に係るオンラインブックマークシステムの構成を示す図である。
【図２】ログイン画面の一例を示す図である。
【図３】図１に示すブックマークサイトの構成を示す図である。
【図４】図３のログインページ情報ＤＢに格納されるログインページ別のブックマークの例を示す図である。
【図５】図３のユーザ情報ＤＢに格納されるユーザ登録ブックマークの例を示す図である。
【図６】図３のＵＲＬＤＢに格納されるＵＲＬリストの例を示す図である。
【図７】ユーザが用意するブックマークファイルの例を示す図である。
【図８】ブックマーク登録処理を説明するためのフローチャートである。
【図９】図８に示すブックマークファイル解析処理の詳細を説明するためのフローチャートである。
【図１０】図８に示す嗜好データ格納処理の詳細を説明するためのフローチャートである。
【図１１】ログイン時の動作を説明するためのフローチャートである。
【図１２】表示されるブックマークの一例を示す図である。
【図１３】お奨めデータを抽出提供する処理の一例を示す図である。
【図１４】この発明の第２の実施の形態にかかるシーンマネージャを説明するための図である。
【図１５】この発明の第２の実施の形態にかかるＵＲＬ追加画面を説明するための図である。
【図１６】この発明の第２の実施の形態にかかるシーン情報の例を示す図である。
【図１７】この発明の第２の実施の形態にかかるＵＲＬＤＢの例を示す図である。
【図１８】ブックマークとシーンとをあわせて表示する画面例を示す図である。
【図１９】更新済みで未閲覧のＵＲＬを抽出する処理の一例を示す図である。
【図２０】シーンの他の表示例を示す図である。
【図２１】ユーザ情報の構成の他の例を示す図である。
【図２２】ブックマークファイルの具体例を示す図である。
【図２３】シーン設定ファイルの具体例を示す図である。
【図２４】ブックマークの表示例を示す図である。
【発明を実施するための形態】
【００１６】
以下、本発明の実施の形態に係るオンラインブックマークシステムを図面を参照して説明する。
【００１７】
この実施形態にオンラインブックマークシステムは、図１に示すように、インターネット上に配置された複数の情報提供サイト１１（１１１〜１１ｎ）とブックマークサイト１３とユーザ端末２１（２１１〜２１ｎ）とから構成される。
【００１８】
各情報提供サイト１１は、インターネット上の端末からのアクセスを受け付けて、各サイトがテーマとする情報をホームページの形式で提供する。
各情報提供サイト１１が提供するホームページは、図２に示すような、オンラインブックマークサービスにログインするためのホームページ（ログインページ）を含む。
【００１９】
ブックマークサイト１３は、ユーザが自己のブックマークを登録してアクセスすることを可能とするサイトであり、図３に示すように、サーバ１３１と、ログインページ情報ＤＢ（データベース）１３２と、ユーザ情報ＤＢ１３３と、ＵＲＬＤＢ１３４とを備える。ここで、ブックマークとは、ネットワーク上の様々な情報へのアクセスを容易にするために、アクセス対象の情報の識別情報とアクセス対象の情報の所在地のアドレス（例えば、ＵＲＬやＩＰアドレス）とを対応付けるリストであり、「お気に入り」等とも称される。
【００２０】
サーバ１３１は、ＷＷＷサーバとしての機能（ウエッブ制御機能）とデータベースサーバとしての機能（ＤＢ制御機能）とを備える。なお、サーバ１３１は、物理的に１台のコンピュータ装置で構成される必要はなく、複数台のコンピュータから構成されてもよい。
【００２１】
サーバ１３１は、ＷＷＷサーバとして、インターネットＩＮを介して各ユーザ端末２１からのアクセスを受け付けて、認証処理を行い、さらに、データベース１３２〜１３４から情報を抽出してホームページを作成し、アクセス元のユーザ端末２１に提供する。
【００２２】
サーバ１３１は、ＤＢサーバとして、ログインページ情報ＤＢ１３２と、ユーザ情報ＤＢ１３３と、ＵＲＬＤＢ１３４とをアクセスし、データを読み出し或いはデータを追加・更新する。
【００２３】
ログインページ情報ＤＢ１３２は、図４に模式的に示すように、図２に示すログインページ別にブックマークを、例えば、ＸＭＬ（eXtensible Markup Language)ファイルの形式で記憶する。各ブックマークは、ログインページを掲載するサイトが提供したい情報のリストであり、ログインページ毎に予め定められている。例えば、ビジネスをテーマとするサイトに配置されたログインページ用のブックマークは主にビジネス関連サイトやリラックス用のサイトのリンク集とされ、旅行をテーマとするサイトに配置されたログインページ用のブックマークは主に旅行関連サイトやショッピング関連サイトのリンク集とされる（但し、限定されるものではない）。ブックマークの構成自体は任意であるが、例えば、ブックマーク名、フォルダ名、ホームページ名、ＵＲＬ番号などからなる。
【００２４】
ユーザ情報ＤＢ１３３は、図５に概念的に示すように、ユーザ別に、ユーザ名、ＩＤ、パスワード、ブックマーク及び嗜好情報を、例えば、ＸＭＬファイルの形式で記憶する。例示するように、ブックマークは、ツリー構造で定義され、ブックマーク名、フォルダ名、ホームページ名、ＵＲＬ番号等の情報を含む。ブックマーク名、フォルダ名等はユーザにより設定される。
また、嗜好情報とは、そのユーザが興味を持っている分野に関する情報であり、その内容の種類は特に限定されるものではない。ただし、この実施の形態では、ユーザがブックマークに登録している有効なＵＲＬのリストである。
【００２５】
なお、ログインページ情報ＤＢ１３２とユーザ情報ＤＢ１３３に登録されるＵＲＬ番号は、ＵＲＬＤＢ１３４に登録されているＵＲＬの登録番号である。
【００２６】
ＵＲＬＤＢ１３４は、図６に例示するように、ＵＲＬを登録する。例えば、あるホームページのＵＲＬが変更になった場合、ＵＲＬＤＢ１３４上のＵＲＬを書き換えれば、ログインページ情報ＤＢ１３２やユーザ情報ＤＢ１３３に登録されているＵＲＬ番号を書き換えなくてもよい。
【００２７】
次に、上記構成のシステムの動作を説明する。
（ブックマークの登録）
ブックマークサイト１３が提供するサービスを利用するためには、ユーザ登録を行い、自己のブックマークを登録する必要がある。
【００２８】
まず、ユーザは、複数の情報提供サイト１１が提供する複数のログインページのうちの任意のものにアクセスし、ユーザ登録の処理を行う。
即ち、図２の画面上で、「未登録の方はこちら」をクリックする。すると、リンク先のブックマークサイト１３の所定ページに制御が移り、サーバ１３１は図８に示す処理を開始する。
【００２９】
ここで、ユーザは、サーバ１３１が提供する案内画面に従ってユーザ名とＩＤとパスワードを指定する。サーバ１３１は、指定されたＩＤが既に登録（使用）されているか否かを判別し、登録済みであれば、ＩＤの変更を促す。一方、未登録であれば、ユーザ名とＩＤとパスワードとを対応付けて一旦内部メモリなどに記憶する（ステップＳ１１）。
【００３０】
次に、ユーザは、サーバ１３１の提供する案内画面に従って、自己のブックマーク（お気に入りファイル）をアップロードする（ステップＳ１２）。このブックマークの形式は任意である。例えば、図７に示すように、ブックマークのタイトル、フォルダ名、ホームページ名、ＵＲＬを特定したファイルを予め作成しておき、これをアップロードしてもよい。
【００３１】
サーバ１３１は、アップロードされたブックマークファイルを解析し、ＸＭＬファイルを生成し、図５に示すように、ユーザ名、ＩＤ、パスワードと共に登録する（ステップＳ１３）。
なお、ステップＳ１３の解析処理において、サーバ１３１は、図９に示すように、アップされたブックマークファイルからＵＲＬデータを抽出し（ステップＳ１３１）、そのＵＲＬがＵＲＬＤＢ１３４に登録されているか否かを判別する（ステップＳ１３２）。
【００３２】
サーバ１３１は、ＵＲＬがＵＲＬＤＢ１３４に未登録の場合には、そのＵＲＬをＵＲＬＤＢ１３４に追加登録する（ステップＳ１３３）。
サーバ１３１は、そのＵＲＬがＵＲＬＤＢ１３４に登録済みであると判別した場合又はステップＳ１３３でＵＲＬを登録した後、ＵＲＬＤＢ１３４上でそのＵＲＬに付された番号（ＵＲＬ番号）とサイト名とを含むＸＭＬ要素を生成する（ステップＳ１３４）。
【００３３】
続いて、ブックマークファイルが終了したか否かを判別して（ステップＳ１３５）、終了していなければ、ステップＳ１３１にリターンすることにより、この動作を、アップロードされたブックマーク上の全てのＵＲＬについて行う。
【００３４】
このようにして、図５に示すような、ユーザ別のＸＭＬファイルを生成し、ユーザ情報ＤＢ１３３に登録する。
【００３５】
続いて、サーバ１３１は、図８のステップＳ１５で、各ユーザの嗜好を求めて、ユーザ情報ＤＢ１３３に格納する。
このステップＳ１５において、サーバ１３１は、図１０に示す処理を実行し、まず、ステップＳ１３、Ｓ１４で生成したＸＭＬファイルからＵＲＬデータを抽出し（ステップＳ１５１）、これが有効なＵＲＬか否かを判別する（ステップＳ１５２）。例えば、イントラネット内のアドレス等の明らかにインターネットから接続できないＵＲＬを無効なＵＲＬとして排除する。
【００３６】
サーバ１３１は、有効であると判別されたＵＲＬをそのユーザの嗜好データとして採用する（ステップＳ１５３）。
続いて、ＸＭＬファイルが終了したか否かを判別して（ステップＳ１５４）、終了していなければ、ステップＳ１５１にリターンすることにより、この動作を、ＸＭＬファイル内の全てのＵＲＬについて行う。
【００３７】
このようにして、ユーザ別の嗜好データ（ＵＲＬのリスト）を生成し、図５にしめすように、ユーザ情報ＤＢ１３３に追加して格納する（ステップＳ１５５）。
以上で、ブックマークの登録の処理が終了する。
【００３８】
このようにしてブックマークを登録したユーザが、登録したブックマークを使用する場合の動作を説明する。
ユーザは、ブラウザがインストールされたユーザ端末２１から、任意のログインページ（図２）にアクセスし、ＩＤとパスワードとを入力する。情報提供サイト１１は、入力されたＩＤとパスワードとをブックマークサイト１３に、自己の識別情報と共に送信する。
【００３９】
ブックマークサイト１３のサーバ１３１は、ＩＤとパスワードとの対を受信して、図１１に示す処理を開始し、送信されたＩＤとパスワードとの対がユーザ情報ＤＢ１３３に登録されているか否かを判別する（ステップＳ２１）。
登録されていない場合には、ユーザに情報提供サイトをエラー（ＩＤ又はパスワードが間違っている旨のメッセージを有するページ）をアクセス元のサイト１１を介して送信する（ステップＳ２２）。
【００４０】
一方、ＩＤとパスワードとの対が登録されている場合には、ユーザ情報ＤＢ１３３より、その対に対応するブックマークデータ（ＸＭＬファイル）を読み出す（ステップＳ２３）。
【００４１】
ここで、読み出したＸＭＬファイルのＵＲＬの欄は、ＵＲＬ番号で表現されており、実際のＵＲＬではない。このため、サーバ１３１は、ＵＲＬ番号をＵＲＬに変更して、そのユーザのブックマークを生成する。
【００４２】
次に、サーバ１３１は、アクセス元（ログイン画面）を判別し、そのログイン画面用のリンク集をログインページ情報ＤＢ１３２から読み出す（ステップＳ２４）。
【００４３】
さらに、ユーザ情報ＤＢ１３３に登録しておいた、嗜好情報に基づいて、お奨め集（リンク集）を生成する（ステップＳ２５）。
そして、これらを合成した、図１２に示すようなページ（ホームページ）を生成し、アクセス元の情報提供サイト（ログインされたログイン画面を提供しているサイト）１１に提供する。
情報提供サイト１１は、ブックマークサイト１３から提供されたページをユーザ端末２１に提供する。
ユーザ端末２１のブラウザは、提供されたページを表示する。
ユーザが、表示されたページ上の任意項目を指定すると、その項目に割り付けれているＵＲＬへのアクセスが行われる。
【００４４】
また、ユーザ端末２１のブラウザに所定のクッキーを記録することにより、ユーザが参照しているホームページのＵＲＬ（ＩＰアドレス）とユーザの識別情報がブックマークサイト１３に通知し、ブックマークサイト１３が、そのページをブックマークに追加するようにしてもよい。
【００４５】
以上説明したように、この実施の形態によれば、ユーザはインターネット上にブックマークを配置することが可能である。また、ログインした位置（ページ）に応じたリンク集やブックマークを、ユーザ個人のブックマークと共に表示できるので、ネットワーク上の様々なサイトにログインページを配置して、ログインしたページに対応する情報を提供することができる。
【００４６】
例えば、ユーザが旅行関係のサイトに配置されたログインページからログインすると、自己が登録したブックマーク以外に、そのサイトが推奨するリンク集、例えば、旅行関連のリンク集が表示され、情報の選択肢が広がる。また、情報提供サイト１１としては、あたかも、自己の独自のサービスのごとき印象をユーザに与えることができる。
【００４７】
また、ユーザの嗜好に基づいて、情報を提示できるので、ユーザの使い勝手がよい。
【００４８】
なお、ユーザの嗜好を設定する方法及び嗜好に応じた情報を抽出し提示する手法は任意である。
例えば、ユーザに、趣味や職業を登録させ、その内容に応じた情報を抽出して提示するようにしてもよい。
また、例えば、ユーザと同様の嗜好を有する他のユーザのブックマークの内容を提示するようにしてもよい。
例えば、図１３に示すように、ユーザを特定し（ステップＳ３１）、そのユーザが登録している複数のＵＲＬと、他の全ユーザの登録ＵＲＬとをパターンマッチングし（ステップＳ３２）、基準値よりも一致度が高いユーザを抽出し（ステップＳ３３）、そのユーザがブックマークに登録しているホームページ（ユーザＡが登録していないもの）を提案する（ステップＳ３４）、ようにしてもよい。
【００４９】
また、例えば、ユーザＡが登録している複数のカテゴリ（フォルダ名）と、他の各ユーザが登録している複数のカテゴリとを比較し、一致度の高いユーザを検出し、そのユーザが登録しているページを提案するようにしてもよい。
その他、この発明は上記実施の形態に限定されず、種々の変形及び応用が可能である。例えば、上記実施の形態では、ログインページに対応するブックマークと、個人が登録したブックマークと、サーバ１３１が嗜好に基づいて抽出したブックマーク（お奨め）とをユーザに提示したが、これらのうちの一部のみを表示するようにしてもよい。
【００５０】
（第２の実施の形態）
第１の実施の形態においては、カテゴリ別にＵＲＬを表示（提示）したが、ＵＲＬの表示をよりわかりやすいものとすることが可能な第２の実施の形態を説明する。
【００５１】
この実施の形態においては、ユーザは、各ＵＲＬにカテゴリとシーンを設定可能であり、ユーザには、シーンに応じて、前回のアクセス後更新されたホームページが紹介される。なお、シーンとは、例えば、任意のホームページについて、自分が閲覧する場面や内容（内容は任意）であり、この実施の形態ではこのシーンの登録を可能とする。
【００５２】
以下、「毎朝みる」、「月曜にみる」、「利用ツール類」という３つのシーンを登録して活用する場合を例に説明する。「毎朝みる」というシーンは、例えば、ほとんど毎日更新されるホームページを、会社（又は学校）に朝来たら必ずチェックするために設定され、「月曜にみる」というシーンは、例えば、１週間に１回程度の頻度で更新されるホームページを、週の開始時点で忘れずにチェックするために設定され、「利用ツール」は、例えば、普段利用しているソフトウエア（ツール類）が更新されたらチェックしたいような場合に設定される。
【００５３】
シーンを設定する場合、ユーザは、認証処理後に表示される処理選択画面上でシーンマネージャを選択する。この選択に応答して、サーバ１３１は、図１４に示すような、シーンを設定・変更するためのページを合成して、ユーザ端末２１に提供する。
【００５４】
ユーザは、ユーザ端末２１のブラウザを操作して、既に設定されているシーンを削除したり、或いは、任意の新たなシーン名を入力し、優先度（表示順番）を指定して、設定が完了すると、「設定」ボタンをクリックする。なお、図１４の画面例は、シーン「毎朝みる」が設定済みで、シーン「月曜にみる」と「利用ツール」を新たに登録する際の画面である。
【００５５】
「設定」ボタンのクリックに応答して、ブラウザは、サーバ１３１に設定内容を通知する。
サーバ１３１は、通知に従って、新たな或いは更新されたシーン情報を、図５に示すユーザ別ブックマークと共にユーザ情報ＤＢ１３３に登録する。以上で、「シーン」自体の設定・登録処理は完了する。
【００５６】
ユーザは、任意のＵＲＬを登録する際に、適宜、シーンを設定する。例えば、ユーザは、比較的更新頻度が高くビジネスに有用なホームページを「毎朝みる」に登録する。この場合、ユーザは、例えば、図１５に示すようなＵＲＬ登録画面上で、任意のホルダ（カテゴリ）と、ＵＲＬと、タイトルと、シーンとを設定し、「送信」をクリックする。サーバ１３１は、通知に従って、そのＵＲＬが新規なものならば、ＵＲＬＤＢ１３４（図６）に追加して、ＵＲＬ番号を割り当て、さらに、そのユーザのブックマークにそのＵＲＬを追加し、さらに、シーンが指定されている場合には、図１６に示すようにユーザ別シーンファイルにそのＵＲＬをシーンに対応付けて登録する。
【００５７】
この実施の形態においては、ＵＲＬＤＢ１３４は、図１７に示すように、各ホームページの最終更新日を登録するエントリを有している。サーバ１３１は、夜間などに、ＵＲＬＤＢ１３４に登録されているＵＲＬをアクセスし、ホームページが更新されているか否かを判別し、更新されている場合には、図１７に示す最終更新日を更新する。
【００５８】
ユーザがログインして、自己のブックマークをアクセスすると、サーバは、ＩＤとパスワードからそのユーザを判別し、そのユーザ用のブックマークを読み出して、提示する。
【００５９】
ここで、サーバは、図１８に示すように、ルートフォルダ以下にある通常のオンラインブックマークと共にシーン別更新リストを表示する。例えば、シーンとして「毎朝見る」に登録されているＵＲＬについて、前回のアクセスから今回のアクセスまでの間に更新されているものがある場合には、そのフォルダが選択可能な形式で表示され、更新されているものが存在しない場合には、そのフォルダが選択できない形式（図では、破線）で表示される。
【００６０】
このような表示を行うため、サーバ１３１は、図１９に示す処理を実行する。まず、シーン番号を示すポインタｉとシーン内のＵＲＬを示すポインタｊとを１に初期化する（ステップＳ２１１，Ｓ２１３）。
【００６１】
次に、ｉ番目のシーンのｊ番目のＵＲＬが前回のアクセスから更新されているか否かをＵＲＬＤＢ１３４の内容から判別する（ステップＳ２１５）。更新されている場合には、それをユーザに提示するため、表示対象ＵＲＬとして、フォルダに追加する（ステップＳ２１７）。
ステップＳ２１５で、更新されていないと判別された場合及びステップＳ２１７でフォルダに追加した後、そのシーン内の全てのＵＲＬについて処理が終了したか否か、即ち、ｊが終了したか否かを判別する（ステップＳ２１９）。ｊが終了していないと判別された場合には、同一シーン内の次のＵＲＬについての処理を行うため、ｊを更新して（ステップＳ２２１）、ステップＳ２１５に戻る。
【００６２】
一方、ステップＳ２１９で、ｊが終了したと判別された場合には、全てのシーンについて処理が終了したか否か、即ち、ｉが終了したか否かを判別する（ステップＳ２２３）。
ステップＳ２２３で、ｉが終了していないと判別された場合には、次のシーンについて処理を行うため、ｊを更新して（ステップＳ２２５）、ステップＳ２１３にリターンする（ステップＳ２１３）。
【００６３】
全てのシーンの全てのＵＲＬについて、処理を完了すると、ステップＳ２２３で、ＹＥＳと判別され、処理は終了し、前回のアクセスから今回のアクセスまでに更新のあったページが登録されているシーン用のフォルダのみが選択可能に表示される。
選択可能なフォルダを開くと、そのシーンに属し、かつ、前回のアクセスからの間に更新されたホームページのタイトルが、例えば、ツリー形式で表示される。
【００６４】
ユーザがシーンに登録されているページを閲覧すると、図１６に示すように、そのホームページの最終アクセス日の欄が更新される。
【００６５】
このように、シーンの登録を可能とし、さらに、各シーンに属すＵＲＬのうちから内容の更新されたものが存在することを報知するようにしたことにより、更新された内容を見落としたりすることを防止することができる。
【００６６】
なお、更新済未アクセスのホームページを抽出する方法や、その表示方法は上記実施の形態に限定されず、任意である。例えば、各ＵＲＬにカテゴリとシーンとを登録し、図２０に示すように、縦軸にカテゴリを配置し、横軸にシーンを配置して、更新されたホームページが存在する場合に、その交点のホルダを選択可能なように表示してもよい。
例えば、カテゴリ「ビジネス」に属し、シーン「毎朝みる」に属すホームページのうちで、前回のアクセスから更新されたものが存在する場合に、そのフォルダを選択可能に表示するようにしてもよい。
【００６７】
また、ユーザ情報、ブックマークファイル、シーン設定ファイルの構成や関連付けの方法なども上記実施の形態に限定されない。
例えば、図２１に示すように、ユーザＩＤと、パスワードと、ブックマークファイルと、シーン設定ファイルとをテーブル形式で対応付けて格納し、ブックマークファイルとシーン設定ファイルとを、図２２、図２３に示すように、ＸＭＬ形式で形成するようにしてもよい。なお、図２２と図２３の例は、図２１に示すユーザＩＤ12345のブックマークファイルとシーンファイルとの具体例である。
また、図２２において、<website>タグが1つのURLを表す。また、「url_category=”1”」 という属性は、シーン設定ファイル中の<url_category>タグの属性を「category id="1"」に定義されるシーンに設定したことを表す。<url>タグのid属性が、URL番号を表す。<folder>タグが1つのフォルダを表す。
さらに、ブックマークの表示とシーン別の更新ファイルを図２４に示すように表示してもよい。
【００６８】
なお、ブックマークサイト１３は、専用のシステムによらず、通常のコンピュータシステムを用いて実現可能である。例えば、コンピュータに上述の動作を実行するためのプログラムを格納した媒体（ＣＤ−ＲＯＭ、MO等）から該プログラムをインストールすることにより、上述の処理を実行するサイト等を構成することができる。なお、上述の機能を、ＯＳが分担又はＯＳとアプリケーションの共同により実現する場合等には、ＯＳ以外の部分のみを媒体に格納してもよい。
【００６９】
なお、搬送波にプログラムを重畳し、通信ネットワークを介して配信することも可能である。例えば、通信ネットワークの掲示板（ＢＢＳ）に該プログラムを掲示し、これをネットワークを介して配信してもよい。そして、このプログラムを起動し、ＯＳの制御下で、他のアプリケーションプログラムと同様に実行させることにより、上述の処理を実行することができる。
【符号の説明】
【００７０】
１１ 情報提供サイト
１３ ブックマークサイト
２１ ユーザ端末
【図１】
2011081812.tif 000003
【図２】
2011081812.tif 000004
【図３】
2011081812.tif 000005
【図４】
2011081812.tif 000006
【図５】
2011081812.tif 000007
【図６】
2011081812.tif 000008
【図７】
2011081812.tif 000009
【図８】
2011081812.tif 000010
【図９】
2011081812.tif 000011
【図１０】
2011081812.tif 000012
【図１１】
2011081812.tif 000013
【図１２】
2011081812.tif 000014
【図１３】
2011081812.tif 000015
【図１４】
2011081812.tif 000016
【図１５】
2011081812.tif 000017
【図１６】
2011081812.tif 000018
【図１７】
2011081812.tif 000019
【図１８】
2011081812.tif 000020
【図１９】
2011081812.tif 000021
【図２０】
2011081812.tif 000022
【図２１】
2011081812.tif 000023
【図２２】
2011081812.tif 000024
【図２３】
2011081812.tif 000025
【図２４】
2011081812.tif 000026